(57)【要約】      （修正有）【課題】クイックレリーズ装置を備える種々の自転車において、サイドスタンドを角度調節可能で、かつ充分な強度で取り付けることができる自転車用サイドスタンドを提供する。【解決手段】クイックレリーズ装置４のシャフト６を通挿する軸穴２２を有するとともに、上記フレームエンド部に設けたハブ軸保持溝３に相対回転不可能に係合させられた状態で、上記クイックレリーズ装置によってフレームエンド部外面に挟圧固定される連結部材１４と、上記連結部材に対して取付角度を調節できる角度調節手段１９，２６を介して相対回転不可能に連結されるとともに、スタンド取付部２１が延出形成された取付部材１５と、上記取付部材に連結されるスタンド部１６とを備えて構成される。【選択図】図４
2007223574.tif 000002
【特許請求の範囲】
【請求項１】
ハブ軸のクイックレリーズ装置を用いて、フレームエンド部に装着される自転車用サイドスタンドであって、
上記クイックレリーズ装置のシャフトを通挿する軸穴を有するとともに、上記フレームエンド部に設けたハブ軸保持溝に相対回転不可能に係合させられた状態で、上記クイックレリーズ装置によってフレームエンド部外面に挟圧固定される連結部材と、
上記連結部材に対して取付角度を調節できる角度調節手段を介して相対回転不可能に連結されるとともに、スタンド取付部が延出形成された取付部材と、
上記取付部材に連結されるスタンド部とを備える、自転車用サイドスタンド。
【請求項２】
上記連結部材は、上記ハブ軸保持溝の内縁部に相対回転不可能に嵌合する突起を備える、請求項１に記載の自転車用サイドスタンド。
【請求項３】
上記角度調節手段は、上記取付部材を上記連結部材に対して上記ハブ軸回りに角度調節して取り付けることができるように構成されている、請求項１又は請求項２のいずれかに記載の自転車用サイドスタンド。
【請求項４】
上記角度調節手段は、上記連結部材と上記取付部材とに互いに角度調節可能に係合する凹凸部を設けて構成される、請求項１から請求項３のいずれかに記載の自転車用サイドスタンド。
【請求項５】
上記連結部材を略円筒状に形成するとともに、上記取付部材に上記連結部材を収容する円筒穴部を設ける一方、
上記角度調節手段を、上記連結部材の外周部と上記円筒穴部の内周部とに互いに角度調節可能に噛合する凹凸部を設けて構成した、請求項４に記載の自転車用サイドスタンド。
【請求項６】
上記連結部材を円筒状に形成するとともに、上記取付部材に上記連結部材を収容する円筒穴部を設ける一方、
上記角度調節手段を、上記連結部材の端面とこの端面に対接する上記円筒穴部の底面とに、互いに角度調節可能に噛合する凹凸部を設けた、請求項４に記載の自転車用サイドスタンド。
【請求項７】
上記連結部材又は上記取付部材の軸方向外方端面に、クイックレリーズ装置のカム体を受支するカム受け面を設けた、請求項１から請求項６に記載の自転車用サイドスタンド。
【発明の詳細な説明】
【技術分野】
【０００１】
本願発明は、自転車用サイドスタンドに関する。詳しくは、容易に着脱できるとともに、フレームの形態やハブ軸保持穴の形成方向が異なっていても、脚部を適正な方向に向けて装着できるように構成したサイドスタンドに関するものである。
【背景技術】
【０００２】
たとえば、従来のサイドスタンドは、自転車フレームのチエーンステーやシートステーに取付けられることが多かった。ところが、上記サイドステーやチエーンステーの連結角度は自転車によって異なるため、汎用的なサイドスタンドを採用することは困難であった。
【０００３】
【特許文献１】実公平７−１１０１９
【特許文献２】実開昭６１−１２９６８５
【０００４】
上記特許文献１に記載されているサイドスタンドでは、フレームに対する連結部分を上方部分と下方部分の２つの部分から構成し、両部分を回動自在に軸着することにより、種々の角度で形成されたフレームに対応できるように構成している。
【０００５】
ところが、レース用の自転車では、ハブ軸ないしタイヤがクイックレリーズ装置によって着脱可能に装着されることが多く、上記のようなフレームに固定的に設けるサイドスタンドを採用することは困難である。しかも、上記フレームに装着されるサイドスタンドでは、フレームに対する連結部分の寸法が大きくなり、外観見栄えが悪くなる。
【０００６】
上記特許文献２は上記問題を解決するために案出されたものであり、レース用自転車等に採用されるクイックレリーズ装置を利用してサイドスタンドを設けるものである。
【０００７】
上記特許文献２には、筒状のハブ軸に嵌挿するロッドの一端に受体を螺着し、他端にハブ用クイックレリーズ装置を設けてなる自転車において、フレームエンドと上記ハブ用クイックレリーズ装置の押体との間に、取付部へ上記ロッドに適合する正面略Ｕ字形状の取付凹孔を設けたスタンドを着脱自在に取り付けて構成している。
【０００８】
上記特許文献２に記載されているサイドスタンドは、クイックレリーズ装置の軸に装着されるため、フレームの形態に影響されることなく装着することができる。また、クイックレリーズ装置を利用してスタンドを設けることができるため、フレームに対する取付部をコンパクトに構成することが可能となる。さらに、車輪の着脱と同様にサイドスタンドを着脱できるため、クイックレリーズ装置を備える種々の自転車に適用することも可能となる。
【発明の開示】
【発明が解決しようとする課題】
【０００９】
上記特許文献２に記載されているサイドスタンドは、中間部において折り畳めるように構成されており、全体の長さはタイヤの半径にほぼ相当している。上記サイドスタンドは、下部を蹴り上げるようにして折り畳まれるが、折り畳みの際にフレームエンドに固定された上端部に大きなモーメントが作用する。
【００１０】
一方、上記サイドスタンドでは、上記クイックレリーズ装置のカム体とフレームエンドとの間でサイドスタンドの端部を挟圧固定するように構成されている。すなわち、サイドスタンドは上記クイックレリーズ装置の挟圧力による摩擦力によってのみ保持されている。このため、サイドスタンドの取付強度が低くなり、蹴り上げ操作を行う際に、フームに対して回転変位しやすい。
【００１１】
上記クイックレリーズ装置の挟圧力を高めることも考えられるが、フレームやハブを傷める恐れがある。また、フレームに対して当接する回り止め等を設けることも考えられるが、フレームの形態によっては装着できない場合が生じる。
【００１２】
本願発明は、上述の問題を解決するために案出されたものであって、上記従来の問題を解決し、クイックレリーズ装置を備える種々の自転車において、サイドスタンドを角度調節可能で、かつ充分な強度で取り付けることができる自転車用サイドスタンドを提供するものである。
【課題を解決するための手段】
【００１３】
本願発明は、ハブ軸のクイックレリーズ装置を用いて、フレームエンド部に装着される自転車用サイドスタンドであって、上記クイックレリーズ装置のシャフトを通挿する軸穴を有するとともに、上記フレームエンド部に設けたハブ軸保持溝に相対回転不可能に係合させられた状態で、上記クイックレリーズ装置によってフレームエンド部外面に挟圧固定される連結部材と、上記連結部材に対して取付角度を調節できる角度調節手段を介して相対回転不可能に連結されるとともに、スタンド取付部が延出形成された取付部材と、上記取付部材に連結されるスタンド部とを備えて構成される。
【００１４】
本願発明では、サイドスタンドの上部を直接クイックレリーズ装置によってフレームエンドに挟圧固定するのではなく、連結部材及びこの連結部材に連結される取付部材を介してスタンド部が設けられる。
【００１５】
ハブ軸保持溝は、クイックレリーズ装置のシャフトに対応した幅で形成されており、ほとんどの自転車において共通の幅寸法で形成されている。本願発明は、上記ハブ軸保持溝に着目し、このハブ軸保持溝に対して相対回転不可能に係合させられる連結部材を設ける。請求項２に記載した発明のように、上記連結部材に、上記ハブ軸保持溝の内縁部に相対回転不可能に嵌合する突起を形成することができる。上記突起の形態は特に限定されることはないが、上記ハブ軸保持溝の内縁部に当接する部分を設けることにより、上記連結部材をフレームエンドに対して相対回転不可能に連結することができる。
【００１６】
一方、上記ハブ軸保持溝の形成方向は一定ではなく、フレームの形態や装着されるディレーラ等によって異なった方向に向けて開口する溝が形成されている。したがって、上記連結部材にスタンド部を直接連結する構成では、種々の自転車に適用することはできず、汎用性がなくなる。
【００１７】
本願発明では、上記不都合を回避するため、上記連結部材に対して取付部材を角度調節できる角度調節手段を介して連結し、この取付部材に設けたスタンド取付部にスタンド部を連結する。
【００１８】
角度調節手段を介して連結される上記連結部材と上記取付部材とを設けることにより、ハブ軸保持溝がどの方向に向けて形成されていても、サイドスタンドのスタンド部を適正な方向を向けて装着することが可能となる。また、上記角度調節手段をハブ軸回りに、すなわちハブ軸と同じ軸回りに上記取付部材の取付角度を調節して装着できるように構成することにより、角度調節範囲を非常に大きく設定することが可能となる。このため、上記ハブ軸保持溝がどのような方向に向けて形成されていても対応することが可能となる。
【００１９】
上記角度調節手段は、請求項３に記載した発明のように、上記取付部材を上記連結部材に対して上記ハブ軸回りに角度調節して取り付けることができるように構成するのが好ましい。さらに、上記角度調節手段は、上記連結部材と上記取付部材とは、角度調節可能に連結できるだけでなく、連結状態で相対回転を阻止できるものでなければならない。上記係合手段として種々の手法を採用できる。
【００２０】
たとえば、請求項４に記載した発明のように、上記角度調節手段を、上記連結部材と上記取付部材とに互いに角度調節可能に係合する凹凸部を設けて構成することができる。上記凹凸部の形態も限定されることはなく、上記連結部材と上記取付部材の一方の部材に一つの突起を設ける一方、他方の部材に上記突起と異なる相対角度で係合する複数の係合穴を設けて構成することができる。
【００２１】
請求項５に記載した発明は、上記連結部材を略円筒状に形成する一方、上記取付部材に上記連結部材を収容する円筒穴部を設けるとともに、上記角度調節手段を、上記連結部材の外周部と上記円筒穴部の内周部とに互いに角度調節可能に噛合する凹凸部を設けて構成したものである。
【００２２】
上記凹凸部の形態は特に限定されることはない。たとえば、互いに噛合する凸条ないし凹条を円筒面の母線に沿って所定の角度間隔で形成することができる。
【００２３】
請求項６に記載した発明は、上記連結部材を円筒状に形成するとともに、上記取付部材に上記連結部材を収容する円筒穴部を設ける一方、上記角度調節手段を、上記連結部材の端面とこの端面に対接する上記円筒穴部の底面とに、互いに角度調節可能に噛合する凹凸部を設けて構成したものである。
【００２４】
凹凸部を有する係合手段を設けることにより、上記スタンド部に大きな力が作用しても、上記連結部材と上記取付部材との相対角度変位が阻止される。これにより、容易に取付角度を調節できるとともに、充分な取付強度を確保することができる。
【００２５】
さらに、請求項７に記載した発明のように、上記連結部材又は上記取付部材の軸方向外方端面に、クイックレリーズ装置のカム体を受支するカム受け面を設けることができる。
【００２６】
上記構成を採用することにより、従来のクイックレリーズ装置のカム受け体を上記連結部材ないし上記取付部材に置き換えるだけで装置を構成できるため、外観見栄えが低下することもなく、非常にコンパクトなサイドスタンド装置を構成することが可能となる。
【発明を実施するための最良の形態】
【００２７】
以下、本願発明の実施の形態を図に基づいて具体的に説明する。
【００２８】
図１に示すように、本実施の形態に係るサイドスタンド１は、自転車のフレームエンド２に設けられる後輪用のハブ軸保持溝に装着されるクイックレリーズ装置４を利用して構成される。
【００２９】
図３に示すように、自転車フレームエンド２には、後方斜め下方に開口するようにハブ軸保持溝３が形成されている。上記ハブ軸保持溝３は、上記クイックレリーズ装置４のシャフト６の直径に対応して形成されており、自転車において共通した幅寸法を備えて形成されている。一方、上記ハブ軸保持溝３の形成方向は自転車によってまちまちであり、下方に向けて開口するものや、後方に向けて開口したものが存在する。
【００３０】
図１及び図４に示すように、上記クイックレリーズ装置４は、ハブ５の中空軸部に通挿される上記シャフト６と、上記シャフト６の一端に回動可能に保持された偏心カム７と、上記偏心カム７を回動操作するためのレバー８と、円筒内面状のカム受け面９を備えるカム受け部１０と、上記シャフト６の他端に形成された雄螺子部１１に螺合させられ、左右フレームエンド２，２間の距離に応じて螺進退させられる調整ナット１２とを備えて構成されている。本実施の形態では、上記レバー８の基端部に上記偏心カム７が一体形成されている。
【００３１】
上記レバー８を回動操作することにより、上記偏心カム７の上記カム受け面９に対する当接部位が変更され、左右の上記フレームエンド２，２を締め付けるようにして、上記ハブ５に通挿されたシャフト６が固定される。
【００３２】
図４に示すように、本実施の形態に係るサイドスタンド１は、上記偏心カム７とフレームエンド２の外面との間において挟圧固定される連結部材１４及び取付部材１５と、上記取付部材１５に連結されるスタンド部１６とを備える。
【００３３】
図３及び図４に示すように、上記連結部材１４は略円筒状に形成されており、上記シャフト６を通挿する軸穴２２を有するとともに、上記フレームエンド２側に上記ハブ軸保持溝３に嵌入する突起１７が一体形成されている。上記突起１７は、上記ハブ軸保持溝３の幅に対応した幅方向寸法を備え、図６に示すように、縁部が上記ハブ軸保持溝３の縁部に嵌合当接することにより、上記連結部材１４が上記フレームエンド２に対して相対回転不可能に連結される。上記連結部材１４の外周部には、母線方向に延びる凸条１９が所定角度間隔で形成されている。
【００３４】
上記取付部材１５は、上記フレームエンド２に挟圧固定される基部２０と、この基部２０から下方に屈曲して延出するスタンド取付部２１と、上記偏心カム７を受支するカム受け部１０とを備えて構成されている。上記カム受け部１０には、上記シャフト６を通挿する通挿穴２３が形成されており、上記クイックシャフトを通挿した状態で、上記偏心カム７が上記カム受け部１０の円筒状カム受け面９に当接させられる。
【００３５】
上記基部２０のフレーム側には、上記連結部材１４を収容する円筒穴部２５が形成されており、この円筒穴部２５の内周面に、上記連結部材１４の外周部に形成した凸条１９に噛合する凹条２６が形成されている。
【００３６】
本実施の形態では、上記凸１９条及び凹条２６はそれぞれ５度の角度間隔で形成されており、取付部材１５を上記連結部材１４に対して上記シャフトの軸心回りに、すなわちハブ５の軸心回りに角度調節可能に連結できるように構成されている。
【００３７】
上記基部２０には、外周部から上記円筒穴部２５に連通する螺子穴２７が形成されており、このネジ穴２７に螺合させられる止め螺子２８によって、ハブ５を取り外した際等に上記連結部材１４と上記取付部材１５とが離脱しないように構成している。
【００３８】
本実施の形態では、上記カム受け部１０は段付き円筒状の樹脂部材から形成されており、上記円筒穴部２５の上記連結部材１５を収容した側と反対側に嵌入保持されている。
【００３９】
上記スタンド取付部２１は、上記基部２０から斜め下方に屈曲して延出形成されており、上記スタンド部材１６を取り付ける取付穴３１，３１が形成されている。上記屈曲角度は特に限定されることはなく、スタンド部を適正な角度で延出できる角度で形成すればよい。
【００４０】
上記スタンド部１６は、上記スタンド取付部２１に連結固定される板状連結部３２と、上記板状連結部３２に設けた回動軸３６に回動可能に保持される脚部材３３と、上記脚部材３３を、図２に示す下方に延出する駐輪位置と後方に回動させた走行位置に保持することができる保持部材３４とを備えて構成されている。
【００４１】
上記板状連結部３２は、上記取付部材１５を内部に挟み込める断面略Ｕ字状に形成されており、これら部材に連通挿されるネジ部材３５，３５によって上記取付部材１５に連結固定される。
【００４２】
上記保持部材３４は、上記脚部材３３の中間部に設けた円筒状ハウジング３８内に収容された図示しないバネによって、上記板状連結部３２の下縁部ないし側縁部に弾性的に当接するように構成されており、図３に示すように、上記駐輪位置と上記走行位置に脚部材３３を保持できるように構成されている。
【００４３】
本実施の形態に係る自転車用サイドスタンド１は、クイックレリーズ装置４を介してフレームエンド２に装着される。したがって、着脱が容易である。
【００４４】
また、フレームエンド２のハブ軸保持溝３は、ほとんどの自転車において共通であるため、クイックレリーズ装置を備える自転車であれば、フレームの形態が異なっていても種々の自転車に取り付けることができる。
【００４５】
また、本願発明では、ハブ軸保持溝３を利用してサイドスタンド１を回転不可能に強度高く取り付けることができる。しかも、図６及び図７に示すように、フレームエンド２に対して脚部材３３を、ハブ５の軸回りに角度調節可能に取り付けることができる。したがって、ハブ軸保持溝３の形成方向が異なっていても、上記連結部材１４と上記取付部材の連結角度を調節して連結することにより、脚部材３３を適正な方向姿勢で取り付けることができる。
【００４６】
図８及び図９に、本願発明の第２の実施の形態を示す。この実施の形態では、略円筒状に形成した連結部材２１４の端面に放射状の凹凸２１９を設ける一方、上記連結部材２１４を収容する取付部材２１５に段付状の穴部２２５を形成し、この穴部２２５の段付き面に上記凹凸２１９に対応する放射状の凹凸２２６を設けたものである。上記凹凸２１９，２２６は約５度の角度間隔で形成されており、これら部材の軸回りの連結角度を調節することができるように構成されている。
【００４７】
上記構成を採用することにより、上記第１の実施の形態と同様に、ハブ軸保持溝３の形成方向が異なるフレームエンドに対して、適正な方向を向けてサイドスタンド１を装着することが可能となる。
【００４８】
図１０及び図１１に、本願発明の第３の実施の形態を示す。この実施の形態では、取付部材３１５の基部３２０に円筒内面状の円筒穴部３２５が形成されており、連結部材３１４が回動自在に収容される。一方、角度調節手段３２６として、上記円筒穴部３２５の内周部から上記基部３２０の外面まで至るスリット３４０と、上記基部３２０の上部に上記連結部材３１４を上記円筒穴部３２５に収容した状態で上記スリット３４０を狭めるように螺合させられる締め付け螺子３４１とが設けられている。
【００４９】
上記締め付け螺子３４１を緩めた状態では、上記取付部材３１５のハブ軸回りの回転が許容される一方、上記締め付け螺子で上記スリット３４０の幅を狭めることにより、上記取付部材３１５を上記連結部材３１４に対して所定の角度姿勢で回転不可能に連結することができる。上記構成を採用することにより、サイドスタンドの取付角度を無段階に調節することができる。
【００５０】
本願発明は、上述の実施の形態に限定されることはない。実施の形態では、連結部材と取付部材とを互いに嵌合する凹凸によって相対回転不可能に連結したが、連結構造は上記凹凸に限定されることはない。
【００５１】
また、クイックレリーズ機構として、シャフト端部にカムを備える機構を採用したが、カムのないクイックレリーズ機構を採用することもできる。
【００５２】
また、実施の形態では、取付部材に上記カムのカム受け面を一体的に設けたが、上記取付部材とは別に設けることもできる。
【図面の簡単な説明】
【００５３】
【図１】本願発明に係るサイドスタンドをフレームエンドに装着した状態を自転車後方からみた全体外観図である。
【図２】図１に示すサイドスタンドの側面図である。
【図３】フレームエンドに連結部材及び取付部材を装着する状態を示す斜視図である。
【図４】図１に示すサイドスタンドを分解した状態を示す断面図である。
【図５】図１に示すサイドスタンドの取付構造を示す要部断面図である。
【図６】図５における、ＶＩ−ＶＩ線に沿う断面図である。
【図７】図２に示すサイドスタンドの取付角度を調節できることを示す側面図である。
【図８】本願発明の第２の実施の形態を示図であり、図４相当する断面図である。
【図９】図８に示す連結部材の形態を示す斜視図である。
【図１０】本願発明の第３の実施の形態を示す図であり、図３に相当する斜視図である。
【図１１】図１０におけるＸＩ−ＸＩ線に沿う断面図である。
【符号の説明】
【００５４】
１  サイドスタンド
２  フレームエンド部
３  ハブ軸保持溝
４  クイックレリーズ装置
５  ハブ軸
６  シャフト
１４  連結部材
１５  取付部材
１６  スタンド部
１９  角度調節手段
２１  スタンド取付部
２２  軸穴
２６  角度調節手段
【図１】
2007223574.tif 000003
【図２】
2007223574.tif 000004
【図３】
2007223574.tif 000005
【図４】
2007223574.tif 000006
【図５】
2007223574.tif 000007
【図６】
2007223574.tif 000008
【図７】
2007223574.tif 000009
【図８】
2007223574.tif 000010
【図９】
2007223574.tif 000011
【図１０】
2007223574.tif 000012
【図１１】
2007223574.tif 000013